【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
雌ＢＮＣコネクタと解除可能に係合するプッシュロック式コネクタアセンブリであって、
雄ＢＮＣ中心端子と、
前記雄ＢＮＣ中心端子を受容するよう形成されたハウジングであって、前記雌ＢＮＣコネクタに関連するスリーブを受容する大きさに形成されたほぼ円形の開口部を一端に有し、該円形の開口部が、ほぼ直径方向の対向位置に配置された一対の位置合わせノッチを有し、該一対の位置合わせノッチが、前記雌ＢＮＣコネクタの前記スリーブ上に配置された対応するロックピンをスライド可能に受容する大きさに形成されている、ハウジングと、
前記雄ＢＮＣ中心端子を受容するための中央アパーチャを有するロックスリーブであって、前記ハウジングにより受容される大きさに形成されており、及び前記中央アパーチャが前記ハウジングの前記円形の開口部とほぼ位置合わせされるようになっており、該ロックスリーブが、前記ハウジング内でロック位置からロック解除位置まで回転できるようになっており、該ロックスリーブが、前記中央アパーチャ内におけるほぼ直径方向の対向位置に配置された一対のロックピン係合ボスを含み、該一対のロックピン係合ボスの各々が、前記中央アパーチャに対してほぼ軸方向に配向された傾斜部と、前記中央アパーチャに対してほぼ横方向に配向されたピン止め部とを含み、該プッシュロック式コネクタアセンブリが前記雌ＢＮＣコネクタの前記スリーブに沿って軸方向に移動された際に、前記一対のロックピン係合ボスの各々の前記傾斜部が前記雌ＢＮＣコネクタの前記スリーブ上に配置された対応する前記ロックピンと係合し、前記雄ＢＮＣ中心端子が前記雌ＢＮＣコネクタと完全に係合した際に、該ロックスリーブが前記ロック解除位置と前記ロック位置との間で回転することが可能となり、該プッシュロック式コネクタアセンブリの係合時に、前記一対のロックピン係合ボスの各々の前記ピン止め部が前記雌ＢＮＣコネクタの前記スリーブ上に配置された対応する前記ロックピンと係合して、該ロックピンが該ロックスリーブを回転させるのを防止する、ロックスリーブと、
該ロックスリーブを前記ロック位置に付勢する、該ロックスリーブに関連する付勢手段であって、該プッシュロック式コネクタアセンブリが前記雌ＢＮＣコネクタと係合した際に前記ロックスリーブを前記ロック位置へと回転させて前記雌ＢＮＣコネクタの前記ロックピンと係合させる、付勢手段と
を備えている、プッシュロック式コネクタアセンブリ。
【請求項２】
前記ロックスリーブの前記ロックピン係合ボスの各々が、該ロックスリープの前記中央アパーチャからほぼ半径方向内側に延びている、請求項１に記載のプッシュロック式コネクタアセンブリ。
【請求項３】
前記ロックスリープを前記ロック位置から前記ロック解除位置へ回転させることを可能にするタブを該ロックスリープが含む、請求項２に記載のロックアセンブリ。
【請求項４】
前記付勢手段がバネを含む、請求項３に記載のプッシュロック式コネクタアセンブリ。
【請求項５】
第１のコネクタ部分及び第２のコネクタ部分を含む係合コネクタ対を接続するための方法であって、
前記第１のコネクタ部分を含むプッシュロック式コネクタアセンブリを前記第２のコネクタ部分に位置合わせし、該プッシュロック式コネクタアセンブリが、中央アパーチャを有するハウジングと、前記第１のコネクタ部分を受容する大きさに形成された中央アパーチャを有するロックスリーブと、該ロックスリーブをロック位置に付勢する該ロックスリーブに関連する付勢手段とを含み、前記ハウジングが、前記第１のコネクタ部分に取り付けられるよう形成されており、前記ロックスリーブが、前記ハウジング内でロック位置からロック解除位置へと回転できるよう該ハウジングの前記中央アパーチャによりスライド可能に受容されるよう形成されており、及び前記第２のコネクタ部分に関連するロックピンと解除可能に係合するロックピン係合ボスを含み、該ロックピン係合ボスが、前記プッシュロック式コネクタアセンブリが前記第２のコネクタ部分と係合した際に前記ロックスリーブを前記ロック位置から前記ロック解除位置へと回転させ、及び前記第１及び第２のコネクタ部分が完全に係合した際に前記ロックスリーブが前記ロック解除位置と前記ロック位置との間で回転することを可能にし、該ロックピン係合ボスが、前記プッシュロック式コネクタアセンブリの係合時に前記ロックピンが該ロックスリーブを回転させるのを防止するピン止め部を含み、前記付勢手段が、前記第１のコネクタ部分が前記第２のコネクタ部分と係合した際に前記ロックスリーブを前記ロック位置へと回転させて前記第２のコネクタ部分の前記ロックピンに係合させ、
前記第１及び第２のコネクタ部分が完全に係合するまで前記プッシュロック式コネクタアセンブリを移動させて前記第２のコネクタ部分と係合した状態にする、
という各ステップを含む、係合コネクタ対の接続方法。
【請求項６】
第１のコネクタ部分及び第２のコネクタ部分を含む係合コネクタ対を接続するためのプッシュロック式コネクタアセンブリを作成するための方法であって、
中央アパーチャを有するハウジングを前記第１のコネクタ部分に取り付け、
該第１のコネクタ部分を受容する大きさに形成された中央アパーチャを有するロックスリーブを配設し、該ロックスリーブが、前記ハウジング内でロック位置からロック解除位置へと回転できるよう該ハウジングの前記中央アパーチャによりスライド可能に受容されるように形成され、該ロックスリーブが更に、前記第２のコネクタ部分に関連するロックピンと解除可能に係合するロックピン係合ボスを含み、該ロックピン係合ボスが、前記プッシュロック式コネクタアセンブリが前記第２のコネクタ部分と係合した際に前記ロックスリーブを前記ロック位置から前記ロック解除位置へと回転させ、及び前記第１及び第２のコネクタ部分が完全に係合した際に前記ロックスリーブが前記ロック解除位置と前記ロック位置との間で回転することを可能にし、該ロックピン係合ボスが更に、前記プッシュロック式コネクタアセンブリの係合時に前記ロックピンが前記ロックスリーブを回転させるのを防止するピン止め部を含み、
前記ロックスリーブを前記ロック位置へと付勢する付勢手段を該ロックスリーブに結合し、該付勢手段が、前記第１のコネクタ部分が前記第２のコネクタ部分と係合した際に前記ロックスリーブを前記ロック位置へと回転させて前記第２のコネクタ部分の前記ロックピンに係合させる、
という各ステップを含む、プッシュロック式コネクタアセンブリの作成方法。
【請求項７】
雌ＢＮＣコネクタと解除可能に係合するプッシュロック式コネクタアセンブリであって、
雄ＢＮＣ中心端子と、
前記雄ＢＮＣ中心端子を受容するための中央アパーチャを有する回転可能なロックスリーブであって、前記雄ＢＮＣ中心端子の周囲でロック位置からロック解除位置へと回転できるようになっており、該回転可能なロックスリーブ上のほぼ直径方向の対向位置に配置された一対のロックピン係合スロットを含み、該プッシュロック式コネクタアセンブリが前記雌ＢＮＣコネクタの前記スリーブに沿って軸方向に移動された際に、前記一対のロックピン係合スロットが前記雌ＢＮＣコネクタ上の対応するロックピンに係合して前記回転可能なロックスリーブを前記ロック位置から前記ロック解除位置へと回転させ、前記雄ＢＮＣ中心端子が前記雌ＢＮＣコネクタと完全に係合した際に、前記ロックピン係合スロットが前記ロック解除位置と前記ロック位置との間での前記回転可能なロックスリーブの回転を可能にし、該プッシュロック式コネクタアセンブリの係合時に前記ロックピンが前記回転可能なロックスリーブを回転させるのを防止するピン止め部を前記一対のロックピン係合スロットの少なくとも一方が含む、ロックスリーブと、
前記回転可能なロックスリーブを受容するための中央アパーチャを有する外側本体であって、該外側本体内で前記ロックスリーブが回転できるようになっており、該外側本体の前記中央アパーチャが、ほぼ直径方向の対向位置に配置された一対の位置合わせノッチを有しており、該一対の位置合わせノッチが、前記雌ＢＮＣコネクタの前記スリーブ上に配置された対応するロックピンをスライド可能に受容する大きさを有している、外側本体と、
前記回転可能なロックスリーブを前記ロック位置に付勢する、該回転可能なロックスリーブに関連する付勢手段であって、該プッシュロック式コネクタアセンブリが前記雌ＢＮＣコネクタと係合した際に前記回転可能なロックスリーブを前記ロック位置へと回転させて前記雌ＢＮＣコネクタの前記ロックピンと係合させる、付勢手段と
を備えている、プッシュロック式コネクタアセンブリ。
【請求項８】
前記一対のロックピン係合スロットの各々が傾斜部及びピン止め部を含み、該プッシュロック式コネクタアセンブリが前記雌ＢＮＣコネクタの前記スリーブに沿って軸方向に移動された際に前記傾斜部が前記雌ＢＮＣコネクタの前記ロックピンと係合して前記回転可能なロックスリーブを前記ロック位置から前記ロック解除位置へと回転させ、該プッシュロック式コネクタアセンブリの係合時に前記ロックピンが前記回転可能なロックスリーブを回転させるのを前記ピン止め部が防止する、請求項７に記載のプッシュロック式コネクタアセンブリ。
【請求項９】
雌ＢＮＣコネクタと解除可能に係合するプッシュロック式コネクタアセンブリであって、
雄ＢＮＣ中心端子と、
前記雄ＢＮＣ中心端子を受容するための中央アパーチャを有する回転可能なロックスリーブであって、前記雄ＢＮＣ中心端子の周囲でロック位置からロック解除位置へと回転できるようになっており、該回転可能なロックスリーブ上のほぼ直径方向の対向位置に配置された一対のロックピン係合ボスを含み、該プッシュロック式コネクタアセンブリが前記雌ＢＮＣコネクタの前記スリーブに沿って軸方向に移動された際に、前記一対のロックピン係合ボスが前記雌ＢＮＣコネクタ上の対応するロックピンに係合して前記回転可能なロックスリーブを前記ロック位置から前記ロック解除位置へと回転させ、前記雄ＢＮＣ中心端子が前記雌ＢＮＣコネクタと完全に係合した際に、前記ロックピン係合ボスが前記ロック解除位置と前記ロック位置との間での前記回転可能なロックスリーブの回転を可能にし、該プッシュロック式コネクタアセンブリの係合時に前記ロックピンが前記回転可能なロックスリーブを回転させるのを防止するピン止め部を前記一対のロックピン係合ボスの少なくとも一方が含む、回転可能なロックスリーブと、
該回転可能なロックスリーブを受容するための中央アパーチャを有する外側本体であって、該外側本体内で前記ロックスリーブが回転できるようになっており、該外側本体の前記中央アパーチャが、ほぼ直径方向の対向位置に配置された一対の位置合わせノッチを有しており、該一対の位置合わせノッチが、前記雌ＢＮＣコネクタの前記スリーブ上に配置された対応するロックピンをスライド可能に受容する大きさを有している、外側本体と、
前記回転可能なロックスリーブを前記ロック位置に付勢する、該回転可能なロックスリーブに関連する付勢手段であって、該プッシュロック式コネクタアセンブリが前記雌ＢＮＣコネクタと係合した際に前記回転可能なロックスリーブを前記ロック位置へと回転させて前記雌ＢＮＣコネクタの前記ロックピンと係合させる、付勢手段と
を備えている、プッシュロック式コネクタアセンブリ。
【請求項１０】
前記一対のロックピン係合ボスの各々が傾斜部を含み、該プッシュロック式コネクタアセンブリが前記雌ＢＮＣコネクタの前記スリーブに沿って軸方向に移動された際に、前記傾斜部が前記雌ＢＮＣコネクタの前記ロックピンと係合して前記回転可能なロックスリーブを前記ロック位置から前記ロック解除位置へと回転させ、該プッシュロック式コネクタアセンブリの係合時に前記ロックピンが前記回転可能なロックスリーブを回転させるのを前記ピン止め部が防止する、請求項９に記載のプッシュロック式コネクタアセンブリ。
【請求項１１】
第１のコネクタ部分及び第２のコネクタ部分を含む係合コネクタ対を互いに解除可能にロックするためのロックアセンブリであって、
中央アパーチャ及び第２のアパーチャを有し、前記第１のコネクタ部分に取り付けられるよう形成された、ハウジングと、
前記第１のコネクタ部分を受容する大きさに形成された中央アパーチャを有するロックスリーブであって、前記ロックスリーブを手動で回転させるために前記ハウジングの前記第２のアパーチャを通って延びるタブを有しており、前記ハウジングの前記中央アパーチャによってスライド可能に受容されるよう形成され、前記ハウジング内でロック位置からロック解除位置へと回転できるようになっており、前記第２のコネクタ部分に関連するロックピンを解除可能に係合するロックピン係合ボスを含み、該ロックピン係合ボスにより、前記第１のコネクタ部分が前記第２のコネクタ部分と係合した際に前記ロック解除位置へと回転させられ、及び前記第１及び第２のコネクタ部分が完全に係合した際に前記ロック位置へと回転することが可能になる、ロックスリーブと、
該ロックスリーブをロック位置に付勢する、該ロックスリーブに関連する付勢手段と
を備えている、ロックアセンブリ。
【請求項１２】
前記ロックスリーブの前記中央アパーチャにより受容されて前記ロックスリーブと前記第１のコネクタ部分との間に配置されるよう形成された位置合わせスリーブを更に含み、該位置合わせスリーブが、前記第２のコネクタ部分上のロックピンと係合するインデックススロットを含み、前記ロックピンが該インデックススロットと係合した際に、前記位置合わせスリーブが、前記第２のコネクタ部分に対して半径方向で位置合わせされた一定の状態に維持され、前記ハウジングに対して回転することができないよう前記ハウジング内に固定される、請求項１１に記載のロックアセンブリ。
【請求項１３】
前記ハウジングが、前記中央アパーチャから半径方向内側に延びる位置合わせタブを有しており、前記位置合わせスリーブが、該位置合わせタブと係合する大きさのスロットを有しており、前記位置合わせスリーブが前記ハウジングに対して回転することが防止される、請求項１２に記載のロックアセンブリ。
【請求項１４】
前記ロックスリーブの前記ロックピン係合ボスが、該ロックスリーブの前記中央アパーチャからほぼ半径方向内側に延び、及び傾斜部及びピン止め部を有しており、該傾斜部が前記中央アパーチャに対してほぼ軸方向に配向され、前記ピン止め部が前記中央アパーチャに対してほぼ横方向に配向されている、請求項１１に記載のロックアセンブリ。
【請求項１５】
前記付勢手段がバネを含む、請求項１１に記載のロックアセンブリ。
【請求項１６】
前記付勢手段が、第１の脚部及び第２の脚部を有するＶ字型部材を含み、該第１の脚部が前記ロックスリーブに結合され、前記第２の脚部が前記ハウジングにより保持される、請求項１１に記載のロックアセンブリ。
【請求項１７】
前記第１のコネクタ部分が主コネクタ本体に取り付けられ、該主コネクタ本体に前記ハウジングが取り付けられる、請求項１１に記載のロックアセンブリ。
【請求項１８】
前記主コネクタ本体が、補助的な電気信号を伝送するための複数のコネクタピンを含む、請求項１７に記載のロックアセンブリ。
【請求項１９】
雌ＢＮＣコネクタと解除可能に係合するプッシュロック式コネクタアセンブリであって、
雄ＢＮＣ中心端子と、
前記雄ＢＮＣ中心端子に関連するロックアセンブリであって、
中央アパーチャ及び第２のアパーチャを有し、前記雄ＢＮＣ中心端子に取り付けられるよう形成された、ハウジングと、
前記雄ＢＮＣ中心端子を受容する大きさに形成された中央アパーチャを有し、タブが取り付けられている、ロックスリーブであって、該ロックスリーブを手動で回転させるために前記タブが前記ハウジングの前記第２のアパーチャを通って延び、該ロックスリーブが、前記ハウジングの前記中央アパーチャによりスライド可能に受容されるよう構成され、前記ハウジング内でロック位置からロック解除位置へと回転できるようになっており、前記雌ＢＮＣコネクタに関連するロックピンと解除可能に係合するロックピン係合ボスを含み、該ロックピン係合ボスが、該プッシュロック式コネクタアセンブリが前記雌ＢＮＣコネクタと係合した際に前記ロックスリーブをロック解除位置へと回転させ、及び前記雄ＢＮＣ中心端子及び前記雌ＢＮＣコネクタが完全に係合した際に該ロックスリーブがロック位置へと回転することを可能にする、ロックスリーブと
を含む、ロックアセンブリと、
前記ロックスリーブをロック位置に付勢する、該ロックスリーブに関連する付勢手段と
を含む、プッシュロック式コネクタアセンブリ。
【請求項２０】
前記ロックスリーブの前記中央アパーチャにより受容されて前記ロックスリーブと前記雄ＢＮＣ中心端子との間に配置されるよう形成された位置合わせスリーブを更に含み、該位置合わせスリーブが、前記雌ＢＮＣコネクタ上の前記ロックピンと係合するためのインデックススロットを含み、前記ロックピンが前記インデックススロットと係合した際に、前記位置合わせスリーブが、前記雌ＢＮＣコネクタに対して半径方向で位置合わせされた一定の状態に維持され、及び前記ハウジングに対して回転することができないよう前記ハウジング内に固定される、請求項１９に記載のプッシュロック式コネクタアセンブリ。